(57)【特許請求の範囲】
【請求項１】
剥離可能な薄膜が形成されたベースフィルムに、該ベースフィルムとで前記薄膜を挟むように通気性を有したキャリアフィルムを重ね合せ、該キャリアフィルムを通して前記薄膜に負圧を作用させた状態で、前記ベースフィルムを前記キャリアフィルムに対して離反する方向へ相対的に移動させることで、前記ベースフィルムに形成された前記薄膜を前記キャリアフィルムへ保持させて前記ベースフィルムから前記薄膜を剥離することを特徴とする薄膜の剥離方法。
【請求項２】
前記キャリアフィルムと重ね合わせた前記ベースフィルムを、一端側から前記キャリアフィルムに対して離反する方向へ順次相対的に移動させることを特徴とする請求項１に記載の薄膜の剥離方法。
【請求項３】
複数の貫通孔を有し、該貫通孔を通して裏面側から表面側へ負圧が作用可能とされた板状の支持部材と、
該支持部材の表面へ通気性を有したキャリアフィルムを供給するキャリア供給機構と、
該キャリア供給機構から前記支持部材へ供給された前記キャリアフィルムを回収するキャリア回収機構と、
該キャリア回収機構によって前記キャリアフィルムが回収される前に、剥離可能な薄膜が形成されたベースフィルムを、前記薄膜が前記キャリアフィルムとで挟まれるように該キャリアフィルムの表面へ供給するベース供給機構と、
該ベース供給機構によって供給されて前記支持部材の表面側に位置した前記ベースフィルムを、前記キャリア回収機構によって前記キャリアフィルムが回収される前に、前記支持部材の表面に対して相対的に離反させて回収するベース回収機構と
を具備することを特徴とする薄膜の剥離装置。
【発明の詳細な説明】
【技術分野】
【０００１】
本発明は、ベースフィルムの表面に、金や銀等の金属、可食性素材、化粧素材、合成樹脂等の有機素材、等により形成された薄膜を、ベースフィルムから剥離させてキャリアフィルムに保持させるための薄膜の剥離方法、及び薄膜の剥離装置に関するものである。
【背景技術】
【０００２】
従来から、薄膜としての金箔や銀箔等の箔材は、工芸品等の分野において、合紙の間に挟んだ状態で使用に供されるのが一般的である。この箔材は、非常に薄く皺や破れが生じ易いため、箔打ち後に合紙の間に挟んだり箔材を使用したりする際に、竹箸などを用いて慎重に作業する必要があり、取扱が難しく熟練した技量が必要で誰でも容易に扱えるものではなかった。
【０００３】
一方、本願出願人は、合成樹脂等により形成したベースフィルムの表面に、離型剤をコーティングした上に、化粧剤、可食剤、及び化学剤等からなる所定厚さの層を形成した薄膜や、蒸着法やスパッタリング法等の方法を用いて薄膜としての金銀膜を形成したものを製造している。金銀の薄膜は、熱転写法やアルコール液にドブ漬けにして剥離している。ポリ乳酸等の化学剤の薄膜の現在の剥離方法は、ポリビニルアルコール等の水溶性を有する素材でポリ乳酸の薄膜の表面に所定厚さの保持層を形成し、厚みが有る保持層ごとベースフィルムから剥離して、その後、ポリ乳酸の上に形成する水溶性の保持層のポリビニルアルコールだけを水洗いして落として薄膜のポリ乳酸フィルムを製作していた。しかしながら、この場合、ベースフィルム上に形成するポリ乳酸膜が薄くなればなるほど薄膜が見え難く、皺や破損が発生して、所望のポリ乳酸膜を得るには長時間の手間を要し極めて困難がともなった。
【０００４】
これに対して、本願出願人は、表面に薄膜としての箔材を形成した長尺状のベースフィルムを箔材が下方を向くように搬送する搬送装置と、搬送装置における所定位置の下側に配置され複数の小孔部が形成された平盤部の小孔部を介して吸気及び排気が可能な吸脱着装置と、ベースフィルムに対して箔材のみを切断可能な切断装置とを用いて、ベースフィルム上の箔材を所定長さに切断し、吸脱着装置の近傍でベースフィルムを後面側へ急激に折り返すように搬送することで、その折り返し部位で箔材の切断した端部をベース部材から僅かに剥離させ、下側から吸脱着装置で箔材を吸着してベースフィルムから剥離させる方法を提案している（特許文献１を参照）。しかしながら、特許文献１のものでも、ベースフィルムに形成した箔材がある程度よりも薄くなると、箔材における切断された部位からの剥離が起こり難く破損率がとても高かった。そのため、より薄い箔材でも簡単に剥離させることが可能な剥離方法や剥離装置の開発が望まれていた。
【０００５】
なお、薄膜として、金属の他に、可食性素材、化粧素材、合成樹脂等の有機素材、等により形成した薄膜でも、その厚さが薄くなるほど上述と同様の問題が発生する。
【発明の概要】
【発明が解決しようとする課題】
【０００６】
そこで、本発明は、上記の実情に鑑み、薄膜が形成されたベースフィルムから、薄膜を損ねることなく簡単に剥離させることができると共に、剥離させた薄膜を容易に取扱うことができる薄膜の剥離方法、及び薄膜の剥離装置の提供を課題とするものである。
【課題を解決するための手段】
【０００７】
上記の課題を解決するために、本発明に係る薄膜の剥離方法は、「剥離可能な薄膜が形成されたベースフィルムに、該ベースフィルムとで前記薄膜を挟むように通気性を有したキャリアフィルムを重ね合せ、該キャリアフィルムを通して前記薄膜に負圧を作用させた状態で、前記ベースフィルムを前記キャリアフィルムに対して離反する方向へ相対的に移動させることで、前記ベースフィルムに形成された前記薄膜を前記キャリアフィルムへ保持させて前記ベースフィルムから前記薄膜を剥離する」ことを特徴とする。
【０００８】
ここで、「薄膜」とは、その厚さについては限定するものではないが、薄膜の素材の物性に応じて、ベースフィルムから自重により自然剥離しない程度の厚さから、ナノの厚さの形成可能な可及的に薄い厚さまでとすることができる。ナノとは、数十ｎｍ〜数百ｎｍ（例えば、５０ｎｍ〜２００ｎｍ）のことである。また、「薄膜」は、単一の素材により形成したものであっても良いし、複数の素材により形成したもの（例えば、多層構造、並列構造）であっても良いし、表面に色彩や模様等の装飾を有したものであっても良い。更に、「薄膜」の長さは、ベースフィルムと略同じ長さであっても良いし、ベースフィルムよりも短い長さであっても良い。
【０００９】
また、「薄膜」の素材としては、特に限定するものではないが、金、銀、プラチナ、バナジウム、その他の貴金属、適宜の合金、その他の金属類、炭素、無機化合物、たんぱく質、キトサン、フィブロイン、ポリ乳酸、その他合成樹脂を含む有機化合物、等を用いることができる。また、「薄膜」は、単層構造でも良いし多層構造でも良く、例えば、金銀等の極薄の金属層と、金属層を形成するための所定厚さの被形成層とを備えたものを例示することができる。この薄膜を換言すると、装飾等に用いることができる金属箔、食用に用いることができる可食フィルム、化粧に用いることができる化粧用フィルム、止血材や細菌被覆材及び浸透膜等に用いることができる医療用フィルム（例えば、体内の手術の後の切り口の上に貼る為にナノの薄さのフィルム）、半導体や触媒等に用いることができる工業用フィルム、等を例示することができる。
【００１０】
更に、「剥離可能な」とは、ベースフィルムに離型層を介して薄膜を形成することで剥離できるようにしたことである。なお、離型層（離型剤）としては、特に限定するものではないが、ポリビニルアルコール（ＰＶＡ）、シリコン、等を例示することができる。
【００１１】
この薄膜の形成方法としては、薄膜の素材に応じた方法を用いれば良く、蒸着法、スパッタリング法、コーター機を使用する方法、スクリーン印刷、エッチング、等を例示することができる。なお、薄膜は、ベースフィルムの略全長に亘って形成してある。
【００１２】
また、「ベースフィルム」としては、特に限定するものではないが、ポリエチレンテレフタレート、ポリプロピレン、ポリアミド、ポリカーボネート等の合成樹脂フィルム、等を例示することができる。なお、ベースフィルムは、長尺状であっても良いし、短尺状であっても良い。
【００１３】
更に、「通気性を有した」とは、特に限定するものではないが、繊維状の素材同士の間に空隙を有したもの、発泡により多孔質状に形成したもの、貫通孔を穿設したもの、等を例示することができる。
【００１４】
また、「キャリアフィルム」としては、特に限定するものではないが、和紙のような通気性を有した紙、不織布、織布、網、通気孔を穿設したポリエチレンテレフタレート、ポリプロピレン、ポリアミド、ポリカーボネート等の合成樹脂フィルム又は発泡樹脂フィルム、等を例示することができる。なお、キャリアフィルムは、長尺状であっても良いし、短尺状であっても良い。また、キャリアフィルムとして、静電気の発生し易いものを用いても良く、これにより、キャリアフィルム付薄膜を製造した際に、静電気によって薄膜がキャリアフィルムに貼り付いて、薄膜を数ｍｍの大きさにカットして使用する場合、薄膜が剥がれたり動いたりすることが少ないので、カットした薄膜をピンセットの先に挟んで使い易くすることができる。
【００１５】
なお、通気性としてキャリアフィルムの通気率は、１０％〜５０％とすることが望ましく、２０％〜３０％とすることが更に望ましい。これよりも通気率が低いとベースフィルムから薄膜を充分に剥離させることができなくなる虞があり、また、これよりも通気率が高いと剥離した薄膜がキャリアフィルムに強く貼り付いて使用し辛くなったり薄膜に皺等の欠陥が生じたりする虞があるためである。また、キャリアフィルムとして紙や不織布等の微細な孔が均密に形成されたものを用いた場合、キャリアフィルムを通して負圧を薄膜へ均等に作用させることができ、ベースフィルムから薄膜を確実に綺麗に剥離させることができる。
【００１６】
また、剥離させた薄膜を保持し易くするために、キャリアフィルムの接着性を高めるようにしても良い。例えば、キャリアフィルムに和紙や不織布等のような含浸性を有したものを用いた場合では、キャリアフィルム内に接着剤を適宜含ませるようにしたり、キャリアフィルムの表面に接着剤からなる接着層（或いは接着領域）を形成するようにしたりしても良い。なお、接着剤としては、ポリビニルアルコール、ポリビニルピロリドン、カゼイン、ゼラチン、ポリアクリル酸、カルボキシルビニルポリマー、セラック、プルラン、等を例示することができる。また、薄膜をキャリアフィルムに接着剤で僅かに貼り付けるようにした場合、蓋然的に、薄膜がキャリアフィルムから動き難くなるので、例えば、キャリアフィルムに弾力性を有したものを用いて、カットする際に薄膜がキャリアフィルム側へ喰い込むのを可及的に抑制することができる。また、キャリアフィルム付薄膜の薄膜のみをハーフカットする場合、幅５ｍｍ〜６０ｍｍの間で短冊状、及び５ｍｍ〜６０ｍｍの四角形、六角形、丸形、ハート形等にカットして使用することができ、従来では困難であった様々な大きさや形状の薄膜を簡単に提供することができる。
【００１７】
本発明によると、ベースフィルムに形成した剥離可能な薄膜を、ベースフィルムとキャリアフィルムとで挟み、通気性を有したキャリアフィルムを通して薄膜に負圧を作用させた状態で、ベースフィルムをキャリアフィルムから離反する方向へ移動させている。つまり、負圧によって薄膜をキャリアフィルムに吸い付けた状態で、ベースフィルムを離反させているので、ベースフィルムから薄膜を、皺を発生させずに破損させずに綺麗で簡単に高速度で剥離させることができる。
【００１８】
また、キャリアフィルムを通して薄膜に負圧を作用させることで、薄膜をキャリアフィルムに保持させて、ベースフィルムから薄膜を剥離させるようにしているので、この剥離方法によれば、通気性を有するキャリアフィルムに保持された薄膜、つまり、キャリアフィルム付薄膜を製造することができる。
【００１９】
なお、負圧を作用させる際に、キャリアフィルムが局所的に負圧によって変形するのを阻止することが望ましい。これにより、薄膜を良好な状態で剥離させることができると共に、キャリアフィルムとして剛性の低いものを用いることが可能となり、剥離させた薄膜を柔軟に保持することができる。
【００２０】
また、本発明に係る薄膜の剥離方法は、上記の構成に加えて、「前記キャリアフィルムと重ね合わせた前記ベースフィルムを、一端側から前記キャリアフィルムに対して離反する方向へ順次相対的に移動させる」ことを特徴としても良い。
【００２１】
ところで、薄膜を剥離させる際に、ベースフィルムを、キャリアフィルムの面に対して直角方向へ真っ直ぐに相対移動させるようにした場合、ベースフィルムから薄膜を剥離させるための力が、その面全体に作用することとなり、ベースフィルムの相対移動に多大な力（エネルギー）が必要となる問題が生じる虞がある。また、面に対して直角方向へ真っ直ぐ離反させるようにした場合、薄膜の端部から離れた中央側でベースフィルムとの間が真空状態となり易くなり、キャリアフィルム側から負圧を作用させても、その真空状態によって薄膜がベースフィルムから離れず、確実に剥離させられない虞がある。
【００２２】
これに対して、本発明によると、キャリアフィルムに対してベースフィルムを一端側から順次離反させるようにしているので、ベースフィルムから薄膜を剥離させるための力が線に近い状態に作用することとなり、相対的に小さい力でも剥離させることができ、ベースフィルムから薄膜を簡単に剥離させることができる。
【００２３】
また、ベースフィルムを一端側から順次離反させるようにしているので、ベースフィルムと薄膜との間で真空状態が発生するのを回避させることができると同時に、キャリアフィルム側から作用する負圧により、剥離した薄膜とベースフィルムとの間に形成された空間内の空気により薄膜をキャリアフィルム側へ押し付けて、剥離を促進させることができ、ベースフィルムから薄膜を確実に剥離させることができる。
【００２４】
更に、ベースフィルムを一端側から順次離反させるようにしているので、例えば、ベースフィルム及びキャリアフィルムを長尺状とし、薄膜がベースフィルムに沿って長尺状に形成されていても、一端側から順次キャリアフィルムに保持させて長尺状の薄膜を剥離させることができ、これまで製造することができなかったような長尺状の薄膜を皺、破損の発生も無く毎分１０ｍ〜３０ｍの高速で製造することができる。
【００２６】
上記の方法により剥離された薄膜は、薄膜に通気性を有したキャリアフィルムが付いているので、薄膜が非常に薄くても、キャリアフィルムによって形状を保持することができ、薄膜を良好な状態でカットしたり運搬したりして使用することができる。
【００２７】
また、薄膜を保持するキャリアフィルムが通気性を有し手指で把持できるので、例えば、キャリアフィルムに薄膜を保持させた状態で、薄膜を所定の使用対象物に貼り付けてから、キャリアフィルムを剥がすような作業を行う場合、キャリアフィルムを剥がす際に、キャリアフィルムを通してキャリアフィルムと薄膜との間に呼気等で給気できるので、キャリアフィルムが剥がれ易く貼り付け易くなり、熟練の職人でなくても薄膜の貼り付け作業等を簡単に行うことができる。
【００２８】
ところで、ベースフィルムに剥離可能に形成された薄膜は、ベースフィルムに接した側の面（裏面）と、接した側とは反対側の面（表面）とでは、薄膜の素材によっては互いの面の状態が異なっている場合がある。具体的には、例えば、薄膜の素材としてベースフィルムとの接着性の低いものの場合では、表面側が光沢のない状態でも裏面側が光沢のある状態となることがある。また、薄膜の素材としてベースフィルムとの接着性が高いものの場合では、ベースフィルムとの間に離型層を介在させるため、表面側が光沢のある状態でも裏面側が光沢のない状態となる。更に、薄膜の表面に色彩や模様等の装飾を有したものの場合では、表面側と裏面側とでは上述と同様の理由により装飾の見栄えが異なってしまうこととなる。これに対して、本発明のキャリアフィルム付薄膜は、キャリアフィルムに付いている状態では薄膜の裏面側が表面へ露出した状態となっているので、キャリアフィルムに付けた状態で薄膜を使用対象物に貼り付けると、薄膜の表面側が外から見える表面となり、薄膜をベースフィルムに形成された状態と同じ状態（向き）で使用対象物に転写することができる。
【００２９】
なお、薄膜に対してキャリアフィルムを大きく（例えば、両端が１０ｍｍ〜５０ｍｍ幅広）することが望ましく、これにより、薄膜を運搬したり使用したりする際に、キャリアフィルムにおける薄膜よりも外側の部分を左右両手指で把持することで、薄膜に触れずに両手指を自由に動かして作業等を行うことができ、薄膜をより良好な状態で使用対象物に使用することができる。
【００３０】
また、薄膜にキャリアフィルムが付いているので、キャリアフィルムの色彩や模様等を薄膜とは異ならせることで、薄膜をより薄くしたり透明な薄膜としたりして使用者等が薄膜を認識し辛くなっても、使用者等に対して薄膜を認識させ易くすることができ、薄膜を使用し易くすることができる。
【００３１】
ここで、上記の使用対象物としては、例えば、ケーキ、おにぎり、パン、トースト、クッキー、等の食品、漆地を施した椀、漆器、半乾燥接着剤を塗布した屏風、仏具、建材、建築物、彫刻物、電器製品、雑貨、車両、革製品、繊維製品、文具、化粧品、及び化粧パック、全身美容パック、手術の時の臓器等の出血止め、切り傷の早期治癒、細菌付着防止、ガラス等の上面や中間に貼った機能性ガラス、等を例示することができる。
【００３２】
また、長尺状に形成したキャリアフィルム付薄膜を任意の長さに切断する方法としては、トムソン刃、カット刃、ギロチン式、レーザー光線、ロータリーダイカット等を用いることができ、薄膜をキャリアフィルムに保持させた状態で切断することで、薄膜を傷付けることなく綺麗に切断することができ、作業性が良好である。
【００３３】
本発明に係る薄膜の剥離装置は、「複数の貫通孔を有し、該貫通孔を通して裏面側から表面側へ負圧が作用可能とされた板状の支持部材と、該支持部材の表面へ通気性を有したキャリアフィルムを供給するキャリア供給機構と、該キャリア供給機構から前記支持部材へ供給された前記キャリアフィルムを回収するキャリア回収機構と、該キャリア回収機構によって前記キャリアフィルムが回収される前に、剥離可能な薄膜が形成されたベースフィルムを、前記薄膜が前記キャリアフィルムとで挟まれるように該キャリアフィルムの表面へ供給するベース供給機構と、該ベース供給機構によって供給されて前記支持部材の表面側に位置した前記ベースフィルムを、前記キャリア回収機構によって前記キャリアフィルムが回収される前に、前記支持部材の表面に対して相対的に離反させて回収するベース回収機構とを具備する」ことを特徴とする。
【００３４】
ここで、「支持部材」の形状としては、特に限定するものではないが、外周が円形状又は多角形状とされた筒状、平板状、円弧状又は湾曲状、無端環状（ベルト状）、等を例示することができる。また、「支持部材」の素材としては、特に限定するものではないが、金属、合成樹脂、発泡樹脂、紙類、木、網、等を例示することができる。
【００３５】
なお、貫通孔を通して作用させる負圧は、エジェクタ式、歯車式、ピストン式、等のバキューム装置を用いて発生させれば良い。また、貫通孔を通して作用させる負圧は、常時作用させるようにしても良いし、キャリアフィルムやベースフィルムの供給や回収に応じて間欠的に作用させるようにしても良い。
【００３６】
また、「キャリア供給機構」としては、特に限定するものではないが、「長尺状のキャリアをボビン等に巻いた状態で回転可能に支持し、支持したキャリアをローラ又はキャリア回収機構側等からの引っ張りにより供給するもの」、「短尺状のキャリアを複数支持し、支持したキャリアをローラ又は吸着盤等により送って供給するもの」、等を例示することができる。
【００３７】
更に、「キャリア回収機構」としては、「長尺状のキャリアフィルムをモータにより回転駆動するボビン等に巻き取って回収するもの」、「短尺状のキャリアフィルムをローラ、吸着盤、把持部材等により保持して回収するもの」、等を例示することができる。
【００３８】
また、「ベース供給機構」としては、「長尺状のベースフィルムをボビン等に巻いた状態で回転可能に支持し、支持したベースフィルムをローラ又はベース回収機構側等からの引っ張りにより供給するもの」、「短尺状のベースフィルムを複数支持し、支持したベースフィルムをローラ又は吸着盤等により送って供給するもの」、等を例示することができる。なお、ベースフィルムの供給における「キャリアフィルムが回収される前に」とは、「キャリアフィルムが支持部材に供給されている状態、つまり、支持部材の貫通孔を通してキャリアフィルムに負圧が作用している状態」、又は「キャリアフィルムが支持部材へ供給される前の状態、支持部材の貫通孔を通してキャリアフィルムに負圧が作用する前の状態」の何れかのことである。
【００３９】
また、「ベース回収機構」としては、「長尺状のベースフィルムをモータより回転駆動するボビン等に巻き取って回収するもの」、「短尺状のベースフィルムをローラ、吸着盤、把持部材等により保持して回収するもの」、等を例示することができる。
なお、ベース回収機構における「キャリアフィルムが回収される前に」とは、キャリアフィルムが支持部材に供給されている状態、つまり、キャリアフィルムを通して薄膜に負圧が作用している状態のことである。
【００４０】
本発明によると、複数の貫通孔を通して表面側へ負圧が作用する支持部材の表面側に、キャリア供給機構により通気性を有したキャリアフィルムを供給すると共に、ベース供給機構により薄膜が形成された面をキャリアフィルム側へ向けてキャリアフィルムの表面へ供給することで、キャリアフィルムを通してベースフィルムの薄膜に負圧が作用し、支持部材の貫通孔への吸着力によって薄膜がキャリアフィルム上に貼り付く。その後、この状態で、ベース回収機構によりベースフィルムを回収すると、負圧の作用により薄膜がキャリアフィルム側へ保持されるように剥離することとなる。そして、キャリア回収機構により支持部材からキャリアフィルムを回収することで、ベースフィルムに形成されていた薄膜をキャリアフィルムに保持させた状態で得ることができる。
【００４１】
而して、上記構成によれば、薄膜を良好な状態でベースフィルムから簡単に剥離させることが可能な薄膜の剥離装置を具現化することができると共に、キャリアフィルムに薄膜が保持されたキャリアフィルム付薄膜を製造することができる。
【００４２】
なお、上記構成において、キャリアフィルム及びベースフィルムを長尺状とすると共に、それらを予めボビン等に巻いた状態とし、それら長尺状のキャリアフィルム及びベースフィルムを、キャリア供給機構及びベース回収機構から支持部材の表面を介してキャリア回収機構及びベース回収機構の夫々のボビン等へ巻き取られるように構成しても良い。これにより、ベースフィルムに形成された薄膜を連続して剥離させることができ、薄膜（キャリア付薄膜）の生産性を高めて、コストを低減させることができる。なお、この場合、長尺状のベースフィルムに形成される薄膜は、ベースフィルムに沿って長尺状に形成しても良いし、ベースフィルムの長手方向に対して所定長さの短尺状に複数形成しても良く、何れの場合でも良好に薄膜を剥離させることができる。
【発明の効果】
【００４３】
このように、本発明によれば、薄膜が形成されたベースフィルムから、薄膜を損ねることなく簡単に剥離させることができると共に、剥離させた薄膜を容易に取扱うことができる薄膜の剥離方法、及び薄膜の剥離装置を提供することができる。
【図面の簡単な説明】
【００４４】
【図１】本発明の一実施形態である薄膜の剥離装置を概略で示す正面図である。
【図２】図１の薄膜の剥離装置を更に概略で示す斜視図である。
【図３】図１の薄膜の剥離装置における要部を拡大して断面で示す説明図である。
【図４】キャリアフィルム付薄膜を示す斜視図である。
【図５】図４とは異なる形態のキャリアフィルム付薄膜を示す斜視図である。
【図６】図１とは異なる形態の薄膜の剥離装置を概略で示す説明図である。
【発明を実施するための形態】
【００４５】
本発明の一実施形態である薄膜の剥離装置１を、図１乃至図５を参照して詳細に説明する。なお、薄膜の剥離装置１を、以下、単に剥離装置１と称す。本実施形態の剥離装置１は、剥離可能な薄膜２が形成されたベースフィルム３から、薄膜２を剥離させ、キャリアフィルム４に保持させてキャリアフィルム付薄膜５を製造することができるものである。
【００４６】
具体的には、剥離装置１は、負圧や正圧を供給することが可能な気圧供給機構１０と、気圧供給機構１０から内部に負圧が供給可能とされ、両端が閉鎖された円筒状で外周面に複数の貫通孔１５ａを有した支持部材１５と、支持部材１５の内部に負圧を供給可能な気圧供給機構１０と、長尺状のキャリアフィルム４を巻かれた状態で支持すると共に支持部材１５の外周面へ支持したキャリアフィルム４を供給可能なキャリア供給機構２０と、支持部材１５へ供給されたキャリアフィルム４を巻き取って回収するキャリア回収機構３０と、薄膜２が形成された長尺状のベースフィルム３を巻かれた状態で支持すると共に支持部材１５の外周面に供給されたキャリアフィルム４の外周面へ支持したベースフィルム３を供給可能なベース供給機構４０と、キャリアフィルム４の外周面へ供給されたベースフィルム３を巻き取って回収するベース回収機構５０と、支持部材１５を回転駆動させる支持部材駆動機構６０と、を主に備えている。
【００４７】
また、剥離装置１は、気圧供給機構１０、支持部材１５、キャリア供給機構２０、キャリア回収機構３０、ベース供給機構４０、ベース回収機構５０、及び支持部材駆動機構６０等を支持する装置本体７０と、装置本体７０の所定位置に取付けられ薄膜２、ベースフィルム３、及びキャリアフィルム４を検知するワーク検知機構８０と、ワーク検知機構８０からの検知信号が入力されると共に気圧供給機構１０、キャリア回収機構２０、ベース回収機構５０、及び支持部材駆動機構６０等を制御する制御部（図示は省略）と、を備えている。この装置本体７０は、横長平板状で略水平に載置される底ベース７１と、底ベース７１の上面から上方へ立設された平板状の立壁ベース７２と、底ベース７１の下面四隅に取付けられる脚部７３と、を備えている。
【００４８】
剥離装置１の気圧供給機構１０は、装置本体７０における立壁ベース７２に支持され、立壁ベース７２の前面からその面に対して直角方向へ突出する円柱状の軸部材１１と、軸部材１１を軸方向へ貫通すると共に軸部材１１の外周面に開口する負圧供給通路１２と、負圧供給通路１２へ負圧を供給すると共に立壁ベース７２の後面側の底ベース７１上に取付けられ加圧された気体により負圧を発生させるエジェクタ１３と、を主に備えている。気圧供給機構１０の軸部材１１は、立壁ベース７２における上下方向の略中央の位置に支持されている。
【００４９】
また、気圧供給機構１０は、軸部材１１を軸方向へ貫通すると共に軸部材１１の外周面に開口する正圧供給通路１４と、加圧された気体の供給をエジェクタ１３又は正圧供給通路１４の何れかに切り替える気圧切替バルブ（図示は省略）と、を備えている。なお、負圧供給通路１２及び正圧供給通路１４における軸部材１１の前端側の開口は、所定の蓋部材によって気密に閉鎖されている。また、図示は省略するが、気圧供給機構１０には、エアストレイナー、減圧弁、リリーフ弁、等が備えられている。
【００５０】
剥離装置１の支持部材１５は、気圧供給機構１０の軸部材１１によって両端が回転可能に支持されている。また、支持部材１５は、立壁ベース７２に接近した後端にプーリ１５ｂが一体的に形成されている。支持部材１５の外周面には、複数の貫通孔１５ａが所定間隔で形成されている。
【００５１】
剥離装置１のキャリア供給機構２０は、装置本体７０における立壁ベース７２に回転可能に支持され、立壁ベース７２の前面から、その面に対して直角方向へ突出した円柱状の軸部材２１と、軸部材２１の両端に固定される円盤状の一対のボビン固定板２２と、を備えている。キャリア供給機構２０の軸部材２１は、図示するように、正面視で立壁ベース７２の左端付近で上下方向の中央から下寄りの位置に支持されている。また、キャリア供給機構２０のボビン固定板２２は、軸部材２１の先端側に固定されるボビン固定板２２が、軸部材２１に対して脱着可能とされており、一対のボビン固定板２２により長尺状のキャリアフィルム４が巻かれた円筒状のボビン９０を挟持して支持することができるようになっている。
【００５２】
また、キャリア供給機構２０は、立壁ベース７２に回転可能に支持され、立壁ベース７２の前面から、その面に対して直角方向へ突出した二つのガイドローラ２３を備えている。キャリア供給機構２０における二つのガイドローラ２３は、支持部材１５と軸部材２１との間で左右方向へ離間して配置されている。軸部材２１に近い側のガイドローラ２３の軸芯は、支持部材１５の軸芯と略同じ高さに配置されており、また、支持部材１５に近い側のガイドローラ２３の軸芯は、支持部材１５の軸芯と支持部材１５の外周上端との間の略中央の高さに配置されている。これら二つのガイドローラ２３は、ボビン９０に巻かれたキャリアフィルム４を支持部材１５へ案内するためのものである。
【００５３】
剥離装置１のキャリア回収機構３０は、立壁ベース７２の後面に回転軸が前方へ突出するように立壁ベース７２の後面側に取付けられるキャリア回収モータ３１と、キャリア回収モータ３１の回転軸に後端が連結されると共に前端が立壁ベース７２を貫通して前方へ延出し、立壁ベース７２に回転可能に支持される軸部材３２と、立壁ベース７２の前面側で軸部材３２に固定される円盤状の一対のボビン固定板３３と、を備えている。キャリア回収機構３０のキャリア回収モータ３１は、トルク調整が可能なモータとされている。
【００５４】
キャリア回収機構３０の軸部材３２は、図示するように、正面視で立壁ベース７２の上端付近で、左右方向の位置が支持部材１５とキャリア供給機構２０の軸部材２１との間の略中央付近の位置に支持されている。また、キャリア回収機構３０のボビン固定板３３は、軸部材３２の先端側に固定されるボビン固定板３３が、軸部材３２に対して脱着可能とされており、一対のボビン固定板３３により長尺状のキャリアフィルム４を巻き取る円筒状のボビン９０を挟持して支持することができるようになっている。
【００５５】
また、キャリア回収機構３０は、立壁ベース７２に回転可能に支持され、立壁ベース７２の前面から、その面に対して直角方向へ突出した支持ローラ３４と、支持ローラ３４と平行に配置される押圧ローラ３５と、押圧ローラ３５を回転可能に支持すると共に支持ローラ３４へ向って付勢する押圧機構３６と、を備えている。キャリア回収機構３０の支持ローラ３４と押圧ローラ３５は、それらの軸芯が、支持部材１５の軸芯とキャリア回収機構３０における軸部材３２の軸芯とを結んだ線よりも上側に位置するように支持されている。
【００５６】
キャリア回収機構３０の押圧機構３６は、押圧ローラ３５を回転可能に支持するローラ支持部材３６ａと、ローラ支持部材３６ａを支持ローラ３４と押圧ローラ３５の軸芯を通る線上に沿ってスライド可能に支持するスライド支持部材３６ｂと、スライド支持部材３６ｂとローラ支持部材３６ａとの間に配置され押圧ローラ３５を支持ローラ３４側へ付勢する押圧バネ３６ｃと、スライド支持部材３６ｂに取付けられ押圧ローラ３５が支持ローラ３４から離れる方向へ移動する移動距離を規制するためのストッパ部材３６ｄと、を備えている。なお、ストッパ部材３６ｄは、ボルトの回転によって移動を規制する距離を変更することができるようになっている。
【００５７】
キャリア回収機構３０は、支持ローラ３４、押圧ローラ３５、及び押圧機構３６によって、支持ローラ３４と押圧ローラ３５との間を通るキャリアフィルム４（キャリアフィルム付薄膜５）に対して、押圧バネ３６ｃの付勢力に応じた圧力を加えることができるようになっている。
【００５８】
剥離装置１のベース供給機構４０は、装置本体７０における立壁ベース７２に回転可能に支持され、立壁ベース７２の前面から、その面に対して直角方向へ突出した円柱状の軸部材４１と、軸部材４１の両端に固定される円盤状の一対のボビン固定板４２と、を備えている。ベース供給機構４０の軸部材４１は、図示するように、正面視で立壁ベース７２の下端付近で、左右方向の位置が支持部材１５とキャリア供給機構２０の軸部材２１との間の略中央付近の位置に支持されている。
【００５９】
また、ベース供給機構４０のボビン固定板４２は、軸部材４１の先端側に固定されるボビン固定板４２が、軸部材４１に対して脱着可能とされており、一対のボビン固定板４２により長尺状のベースフィルム３が巻かれた円筒状のボビン９１を挟持して支持することができるようになっている。なお、ベース供給機構４０のボビン固定板４２は、キャリア回収機構３０のボビン固定板３３よりも、若干小径とされている。
【００６０】
また、ベース供給機構４０は、立壁ベース７２に回転可能に支持され、立壁ベース７２の前面から、その面に対して直角方向へ突出したガイドローラ４３と、ガイドローラ４３と支持部材１５との間に配置されベースフィルム３の裏面（下面）を摺動可能に支持する板状のガイド板４４と、を備えている。ベース供給機構４０のガイドローラ４３は、図示するように、正面視軸部材４１の上側で、外周上端が支持部材１５の外周下端と略同じ高さとなる位置に支持されている。また、ベース供給機構４０のガイド板４４は、上面が支持部材１５とガイドローラ４３の接線上に略位置し、正面視右端が支持部材１５の外周下端付近まで延出している。また、ガイド板４４は、正面視右端側の下面が、右方向へ向うに従って上方へ向うように傾斜している。
【００６１】
剥離装置１のベース回収機構５０は、立壁ベース７２の後面に回転軸が前方へ突出するように立壁ベース７２の後面側に取付けられるベース回収モータ５１と、ベース回収モータ５１の回転軸に後端が連結されると共に前端が立壁ベース７２を貫通して前方へ延出し、立壁ベース７２に回転可能に支持される軸部材５２と、立壁ベース７２の前面側で軸部材５２に固定される円盤状の一対のボビン固定板５３と、を備えている。ベース回収機構５０のベース回収モータ５１は、トルク調整が可能なモータとされている。
【００６２】
ベース回収機構５０の軸部材５２は、図示するように、正面視ベース供給機構４０の軸部材４１と略同じ高さで、立壁ベース７２の右下隅付近の位置に支持されている。また、ベース回収機構５０のボビン固定板５３は、軸部材５２の先端側に固定されるボビン固定板５３が、軸部材５２に対して脱着可能とされており、一対のボビン固定板５３により長尺状のベースフィルム３を巻き取る円筒状のボビン９１を挟持して支持することができるようになっている。ベース回収機構５０のボビン固定板５３は、ベース供給機構４０のボビン固定板４２と同径とされている。
【００６３】
また、ベース回収機構５０は、支持部材１５の下側の位置で装置本体７０における立壁ベース７２に回転可能に支持され、立壁ベース７２の前面から、その面に対して直角方向へ突出した剥離ローラ５４と、剥離ローラ５４の下側で回転軸が前方へ突出するように立壁ベース７２の後面側に取付けられるローラ駆動モータ５５と、ローラ駆動モータ５５の回転軸に後端が連結されると共に前端が立壁ベース７２を貫通して前方へ延出し、立壁ベース７２に回転可能に支持される駆動ローラ５６と、駆動ローラ５６と平行に配置される押圧ローラ５７と、押圧ローラ５７を回転可能に支持すると共に駆動ローラ５６へ向って付勢する押圧機構５８と、を備えている。このベース回収機構５０は、剥離ローラ５４、駆動ローラ５６、及び押圧ローラ５７が、上下方向に略並んで配置されている。
【００６４】
ベース回収機構５０の剥離ローラ５４は、その軸芯が正面視支持部材１５の軸芯よりも下寄りの位置で、外周が支持部材１５の外周と接するほどに接近した位置に支持されている。ベース回収機構５０のローラ駆動モータ５５は、回転速度及び回転角度を高精度で制御することが可能なステッピングモータとされている。
【００６５】
ベース回収機構５０の押圧機構５８は、押圧ローラ５７を回転可能に支持するローラ支持部材５８ａと、ローラ支持部材５８ａを駆動ローラ５６と押圧ローラ５７の軸芯を通る線上に沿ってスライド可能に支持するスライド支持部材５８ｂと、スライド支持部材５８ｂとローラ支持部材５８ａとの間に配置され押圧ローラ５７を駆動ローラ５６側へ付勢する押圧バネ５８ｃと、スライド支持部材５８ｂに取付けられ押圧ローラ５７が駆動ローラ５６から離れる方向へ移動する移動距離を規制するためのストッパ部材５８ｄと、を備えている。なお、ストッパ部材５８ｄは、ボルトの回転によって移動を規制する距離を変更することができるようになっている。
【００６６】
ベース回収機構５０は、押圧機構５８により駆動ローラ５６と押圧ローラ５７とでそれらの間を通るベースフィルム３を、押圧バネ５８ｃの付勢力に応じた力で押圧することができると共に、ローラ駆動モータ５５により駆動ローラ５６を回転駆動させることで、押圧したベースフィルム３を剥離ローラ５４側から引っ張って軸部材５２（ボビン９１）側へ送ることができるようになっている。
【００６７】
剥離装置１の支持部材駆動機構６０は、回転軸が立壁ベース７２を貫通して前方へ延出するように、立壁ベース７２の後面に取付けられる支持部材モータ６１と、支持部材モータ６１の回転軸に固定される駆動プーリ６２と、駆動プーリ６２及び支持部材１５のプーリ１５ｂに巻き掛けられる駆動ベルト６３と、を備えている。支持部材駆動機構６０の支持部材モータ６１は、回転速度及び回転角度を高精度で制御することが可能なステッピングモータとされている。支持部材駆動機構６０の駆動プーリ６２は、図示するように、正面視支持部材１５の右上の位置に支持されている。
【００６８】
支持部材駆動機構６０は、支持部材モータ６１により駆動プーリ６２を回転駆動させることで、駆動ベルト６３を介して支持部材１５を、気圧供給機構１０の軸部材１１回りに回転駆動させることができるようになっている。
【００６９】
剥離装置１のワーク検知機構８０は、キャリア供給機構２０に支持されたキャリアフィルム４の有無を検知するキャリアフィルム供給側センサ８１と、キャリアフィルム付薄膜２の有無を検知する製品検知センサ８２と、キャリア回収機構３０でボビン９０に巻き取られたキャリアフィルム付薄膜２が満杯になったか否かを検知する製品満杯センサ８３と、ベース供給機構４０に支持された薄膜が形成されたベースフィルム３の有無を検知するベースフィルム供給側センサ８４と、薄膜２が剥離されてベース回収機構５０のボビン９１に巻き取られるベースフィルム３の有無を検知するベースフィルム回収側センサ８５と、ベース回収機構５０でボビン９１に巻き取られたベースフィルム３が満杯になったか否かを検知する回収満杯センサ８６と、を備えている。
【００７０】
なお、本実施形態では、ワーク検知機構８０における各センサ８１，８２，８３，８４，８５，８６が、発光部からの照射した光を受光部で受けることで検知対象物を検知する光電センサとされている。
【００７１】
ワーク検知機構８０は、キャリアフィルム供給側センサ８１、製品満杯センサ８３、ベースフィルム供給側センサ８４、ベースフィルム回収側センサ８５、及び回収満杯センサ８６における夫々の検知対象の反対側に配置され、検知光を反射させる反射板８７を備えている。
【００７２】
ワーク検知機構８０の、キャリアフィルム供給センサ８１は、キャリア供給機構２０における軸部材２１の正面視右上の位置に配置され、キャリア供給機構２０のボビン固定板２２に挟持されたボビン９０から正面視左側のガイドローラ２３へ供給されるキャリアフィルム４を検知することができるようになっている。また、製品検知センサ８２は、ベース回収機構５０における剥離ローラ５４の正面視右側に配置されベースフィルム３から剥離してキャリアフィルム４に保持された薄膜２を検知することができるようになっている。更に、製品満杯センサ８３は、キャリア回収機構３０における軸部材３２の正面視左上側に配置され、ボビン固定板３３に挟持されたボビン９０に巻き取られたキャリアフィルム付薄膜５の巻き取られた直径を検知することができるようになっている。
【００７３】
また、ワーク検知機構８０のベースフィルム供給側センサ８４は、ベース供給機構４０における軸部材４１の正面視左上側に配置され、ベース供給機構４０のボビン固定板４２に挟持されたボビン９１から上側のガイドローラ４３へ供給されるベースフィルム３を検知することができるようになっている。また、ベースフィルム回収側センサ８５は、ベース回収機構５０の駆動ローラ５６と軸部材５２との間に配置され、押圧ローラ５７からベース回収機構５０におけるボビン固定板５３に挟持されたボビン９１へ送られるベースフィルム３を検知することができるようになっている。更に、回収満杯センサ８６は、ベース回収機構５０における軸部材５２の正面視左上側に配置され、ボビン固定板５３に挟持されたボビン９１に巻き取られたベースフィルム３の巻き取られた直径を検知することができるようになっている。
【００７４】
ワーク検知機構８０のキャリアフィルム供給側センサ８１、ベースフィルム供給側センサ８４、及びベースフィルム回収側センサ８５は、反射板８７からの検知光が検知されると、供給するキャリアフィルム４やベースフィルム３が、無くなったことを検知することができるようになっている。また、製品満杯センサ８３、及び回収満杯センサ８６は、反射板８７からの検知光が検出されなくなると、キャリアフィルム付薄膜５や回収したベースフィルム３が各ボビン９０，９１において満杯となったことを検知することができるようになっている。
【００７５】
なお、本実施形態では、通気性を有したキャリアフィルム４は、通気性が２０％〜３０％で、４０ｇ／ｍ２〜６０ｇ／ｍ２の和紙を用いており、幅が１６０ｍｍの長尺状に形成されている。また、ベースフィルム３は、ポリエチレンテレフタレート（ＰＥＴ）のフィルムを用いており、幅がキャリアフィルム４よりも狭い１２０ｍｍの長尺状に形成されている。
【００７６】
また、薄膜２は、全体が５０ｎｍ〜２００ｎｍの厚さに形成されている。この薄膜２は、離型剤をコーティングしたベースフィルム３の表面に、化粧剤、可食剤、及び化学剤等を、コーター機を用いて所定の厚さの層を形成したものと、更にその上に金、銀、プラチナ、等の金属を蒸着法又はスパッタリング法等を用いて５００Å〜１０００Åの厚さに形成したものである。また、薄膜２は、ベースフィルム３と同じ幅で、略同じ長さの長尺状に形成されている。
【００７７】
また、本実施形態では、剥離装置１における支持部材１５は、金属により形成されており、直径が約１００ｍｍ、軸方向の長さが約１８０ｍｍ、板厚が２ｍｍ〜５ｍｍとされ、貫通孔１５ａの直径が０．５ｍｍ〜１ｍｍ、周方向及び軸方向の穿設ピッチが３ｍｍ〜５ｍｍの間隔で形成されている。更に、本実施形態では、薄膜２（ベースフィルム３やキャリアフィルム４）の送り速度が、０．５ｍ／ｍｉｎ〜３０ｍ／ｍｉｎの速度で送られるようになっている。また、ボビン９０，９１の幅（軸方向の長さ）は、キャリアフィルム４やベースフィルム３の幅と同じ幅に形成されている。更に、剥離装置１では、送られるキャリアフィルム４やベースフィルム３が、それらの幅方向の中心が略一致するように、各部材が夫々配置支持されている。
【００７８】
次に、本実施形態における剥離装置１の動きについて説明する。初めに、ボビン９０に巻かれた長尺状のキャリアフィルム４と、ボビン９１に巻かれ薄膜２が形成された長尺状のベースフィルム３とを用意する。なお、ベースフィルム３については、薄膜２が外周面側を向くようにボビン９１に予め巻いておく。まず、キャリア回収機構３０とベース回収機構５０における夫々のボビン固定板３３，５３の間に、空のボビン９０，９１を挟持固定する。次に、キャリアフィルム４が巻かれたボビン９０を、キャリア供給機構２０における二つのボビン固定板２２の間へ挟持固定する。この時、ボビン９０からキャリアフィルム４を繰り出すと、ボビン固定板２２が正面視時計回りの方向へ回転するように、ボビン９０を挟持固定する。
【００７９】
一対のボビン固定板２２の間にキャリアフィルム４が巻かれたボビン９０を固定したら、キャリアフィルム４の先端を引っ張り、キャリアフィルム４が、キャリア供給機構２０における正面視左側のガイドローラ２３では下側、正面視右側のガイドローラ２３では上側、支持部材１５では下側、そして、キャリア回収機構３０における支持ローラ３４と押圧ローラ３５との間を順次通るように巻き回した上で、キャリアフィルム４の先端を、キャリア回収機構３０のボビン固定板３３に挟持固定されたボビン９０に取付ける。これにより、キャリアフィルム４が支持部材１５の外周に対して略Ｕ字状に巻き付いた状態となる。
【００８０】
続いて、薄膜２を形成したベースフィルム３が巻かれたボビン９１を、ベース供給機構４０における二つのボビン固定板４２の間へ挟持固定する。この時、ボビン９１からベースフィルム３を繰り出すと、ボビン固定板４２が正面時計回りの方向へ回転するように、ボビン９１を挟持固定する。ベースフィルム３が巻かれたボビン９１を挟持固定したら、ベースフィルム３の先端を引っ張り、ベースフィルム３が、ベース供給機構４０におけるガイドローラ４３の上側、ガイド板４４の上側、支持部材１５とベース回収機構５０における剥離ローラ５４との間、剥離ローラ５４と駆動ローラ５６との間、そして、駆動ローラ５６と押圧ローラ５７との間を順次通るように巻き回した上で、ベースフィルム３の先端を、ベース回収機構５０のボビン固定板５３に挟持固定されたボビン９１に取付ける。
【００８１】
これにより、ベースフィルム３に形成された薄膜２が、支持部材１５の外周側でキャリアフィルム４と接触し、ベースフィルム３とキャリアフィルム４とで挟まれた状態となり、キャリアフィルム４及びベースフィルム３のセットが完了する。なお、ベースフィルム３については、先端から所定の長さ（セットした状態で薄膜２が支持部材１５に到達しない長さ）まで、薄膜２を形成しないようにすることが望ましく、薄膜２の無用な消費を抑制することができる。
【００８２】
キャリアフィルム４及びベースフィルム３をセットしたら、気圧供給機構１０のエジェクタ１３へ加圧気体を供給し、負圧を発生させると共に、負圧供給通路１２を介して軸部材１１外周の支持部材１５内へ負圧を供給する。支持部材１５内に負圧が供給されると、支持部材１５の外周面に形成された複数の貫通孔１５ａを通して、支持部材１５の外周側の空気が支持部材１５内へ吸引される。この時、支持部材１５の外周に巻かれたキャリアフィルム４は、負圧による吸引によって支持部材１５の外周面に吸着すると共に、通気性を有したキャリアフィルム４により、キャリアフィルム４の外周面側からもキャリアフィルム４を通して支持部材１５内へ空気が吸引されることとなる。
【００８３】
そして、支持部材１５内へ負圧を供給した状態で、支持部材モータ６１、ローラ駆動モータ５５、キャリア回収モータ３１、及びベース回収モータ５１を、夫々適宜方向へ略同時に回転駆動させる。具体的には、支持部材１５、駆動ローラ５６、及びベース回収機構５０のボビン９１が正面視反時計回りの方向へ、キャリア回収機構３０のボビン９０が正面視時計回りの方向へ、夫々回転するようにモータ３１，５１，５５，６１を回転駆動させる。また、各モータ３１，５１，５５，６１の回転速度は、キャリアフィルム４とベースフィルム３の送り速度が略一致するように制御する。
【００８４】
このように、各モータ３１，５１，５５，６１を回転駆動させることで、キャリア供給機構２０から繰り出されて支持部材１５へ供給されたキャリアフィルム４が、キャリア回収機構３０でボビン９０に巻き取られると共に、ベース供給機構４０から繰り出されて支持部材１５へ供給されたベースフィルム３が、ベース回収機構５０のボビン９１に巻き取られることとなる。
【００８５】
この際に、支持部材１５の外周面では、通気性を有したキャリアフィルム４を通して、キャリアフィルム４の外周側に負圧が作用する状態となり、この状態で、薄膜２を挟むようにベースフィルム３がキャリアフィルム４の外周面に位置すると、キャリアフィルム４を通して薄膜２とベースフィルム３に負圧が作用することとなる。そして、負圧が作用した状態で、ベースフィルム３がベース回収機構５０の剥離ローラ５４によって支持部材１５（キャリアフィルム４）の外周面から遠ざかる方向へ引っ張られるので、薄膜２のみが負圧によりキャリアフィルム４側へ吸い付いた状態となり、ベースフィルム３から薄膜２が剥離することとなる。
【００８６】
そして、支持部材１５の外周面では、キャリアフィルム４及びベースフィルム３が、夫々キャリア回収機構３０側及びベース回収機構５０側へ送られることで、ベースフィルム３における剥離ローラ５４により引っ張られる部位で、薄膜２が順次キャリアフィルム４側へ剥離して、キャリアフィルム４に保持されることとなる。
【００８７】
このように、ベースフィルム３から剥離してキャリアフィルム４に保持された薄膜２は、キャリアフィルム付薄膜５として、キャリアフィルム４と伴にキャリア回収機構３０のボビン９０に巻き取られることとなり、而して、キャリアフィルム付薄膜５を製造することができる。
【００８８】
その後、ワーク検知機構８０の製品満杯センサ８３や回収満杯センサ８６で、キャリアフィルム付薄膜５や回収したベースフィルム３が、ボビン９０，９１に巻き取られて満杯になったことが検知されると、各モータ３１，５１，５５，６１の駆動が停止して、図示しない、報知手段によってその旨が報知されるようになっている。或いは、キャリアフィルム供給側センサ８１やベースフィルム供給側センサ８４で、キャリアフィルム４やベースフィルム３が、ボビン９０，９１から無くなったことが検知されると、各モータ３１，５１，５５，６１の駆動が停止して、図示しない、報知手段によってその旨が報知されるようになっている。更には、製品検知センサ８２やベースフィルム回収側センサ８５において、正常な状態とは異なった状態が検知されると、各モータ３１，５１，５５，６１の駆動が停止して、図示しない、報知手段によって不具合が発生した旨の報知がされるようになっている。
【００８９】
なお、本実施形態の剥離装置１は、気圧供給機構１０によって支持部材１５内へ加圧気体による正圧を供給することができるようになっているので、例えば、使用によって支持部材１５の貫通孔１５ａが目詰まりした場合、正圧を供給して目詰まりを解消させることができ、メンテナンスを簡単に行うことができるようになっている。
【００９０】
また、図５に示すように、キャリアフィルム付薄膜５における長尺の薄膜２だけを短冊のようにハーフカットして製造することができる。なお、短冊の他に、碁盤の目、六角形、丸形、ハード形、動物の形、葉や樹木の形、キャラクタの形、等の形にハーフカットしたり、薄膜２をキャリアフィルム４とともに切断したりして製造することができる。
【００９１】
このように、本実施形態によると、ベースフィルム３に形成した剥離可能な薄膜２を、ベースフィルム３とキャリアフィルム４とで挟み、通気性を有したキャリアフィルム４を通して薄膜２に負圧を作用させた状態で、ベースフィルム３をキャリアフィルム４から離反する方向へ移動させている。つまり、負圧によって薄膜２をキャリアフィルム４に吸い付けた状態で、ベースフィルム３を離反させているので、ベースフィルム３から薄膜２を簡単に剥離させることができる。
【００９２】
また、キャリアフィルム４を通して薄膜２に負圧を作用させることで、薄膜２をキャリアフィルム４に保持させて、ベースフィルム３から薄膜２を剥離させるようにしているので、通気性を有するキャリアフィルム４に保持された薄膜２、つまり、キャリアフィルム付薄膜５を製造することができる。
【００９３】
また、キャリアフィルム４に対してベースフィルム３を一端側から順次離反させるようにしているので、ベースフィルム３から薄膜２を剥離させるための力が線状に作用することとなり、相対的に小さい力でも剥離させることができ、ベースフィルム３から薄膜２を綺麗で簡単に高速に剥離させることができる。
【００９４】
更に、ベースフィルム３を一端側から順次離反させるようにしているので、ベースフィルム３から薄膜２を連続的に剥離させることができ、これまで製造することができなかったような長尺状の薄膜２（キャリアフィルム付薄膜５）を製造することができる。
【００９５】
また、ベース回収機構５０では、剥離ローラ５４に巻き掛けられたベースフィルム３を、駆動ローラ５６と押圧ローラ５７とで挟持すると共に、駆動ローラ５６の回転駆動によって引っ張るようにしているので、ベースフィルム３から薄膜２を剥離させる力が、ボビン固定板５３に挟持固定されボビン９１側へ伝わるのを可及的に低減させることができ、ボビン９１に対してベースフィルム３を均質に巻き付けることができる。なお、キャリア回収機構３０の支持ローラ３４に、駆動用のモータを接続して回転駆動させるようにしても良く、これにより、ベース回収機構５０の駆動ローラ５６と同様の作用をさせることができ、キャリア回収機構３０におけるボビン固定板３３に挟持固定されたボビン９０に対して、キャリアフィルム付薄膜５を均質に巻き付けることができる。
【００９６】
更に、キャリア回収機構３０において、支持ローラ３４と押圧ローラ３５とで、キャリアフィルム４に保持された薄膜２（キャリアフィルム付薄膜５）を押圧するようにしているので、キャリアフィルム４に所定の接着剤を含ませたものを使用した場合、支持ローラ３４と押圧ローラ３５との押圧により、薄膜２をキャリアフィルム４へ軽く接着させることができ、キャリアフィルム４へ薄膜２を確実に保持させることができる。
【００９７】
また、ベース供給機構４０において、ベースフィルム３を平板状のガイド板４４により案内して支持部材１５へ供給するようにしているので、薄膜２が形成されたベースフィルム３が波打ったような状態で支持部材１５側へ供給されるのを防止することができ、薄膜２に皺等が入るのを防止することができ、後工程の短冊や碁盤の目等にハーフカットしてもキャリアフィルム４から薄膜２が剥がれ落ち難い。
【００９８】
また、本実施形態では、通気性を有したキャリアフィルム４として、和紙を用いているので、キャリアフィルム４を通して負圧を薄膜２へ均等に作用させることができ、ベースフィルム３から薄膜２を綺麗に剥離させることができる。また、キャリアフィルム４に和紙を用いているので、キャリアフィルム４に所定の接着剤を含ませておけば、キャリアフィルム付薄膜５に対して薄膜２のみを切断するハーフカットを行っても、キャリアフィルム４に対して薄膜が相対移動するのを防止することが可能となり、カットする際に薄膜がキャリアフィルム側へ喰い込むのを可及的に抑制することができ、薄膜２を綺麗に切断することができる。
【００９９】
更に、本実施形態によると、キャリアフィルム付薄膜５を製造することができるので、薄膜２が非常に薄くても、キャリアフィルム４によって形状を保持することができ、薄膜２を良好な状態で運搬したり使用したりすることができる。特に、薄膜２よりキャリアフィルム４が両端に１０ｍｍ〜５０ｍｍ出ていると両手指で挟んで作業できる。
【０１００】
また、薄膜２を保持するキャリアフィルム４が通気性を有しており、薄膜２を所定の使用対象物に貼り付けてから、キャリアフィルム４を剥がすような作業を行う場合、キャリアフィルム４を剥がす際に、キャリアフィルム４を通してキャリアフィルム４と薄膜２との間に呼気で給気されるので、キャリアフィルム４が剥がれ易くなり、熟練の職人でなくても貼り付け作業等を簡単に行える薄膜２とすることができる。
【０１０１】
また、本実施形態の剥離装置１で製造されるキャリアフィルム付薄膜５は、キャリアフィルム４に付いている状態では薄膜２の裏面側が表面へ露出した状態となっているので、キャリアフィルム４に付けた状態で薄膜２を使用対象物に貼り付けると、薄膜２の表面側が外から見える表面となり、両手指を使って薄膜２をベースフィルム３に形成された状態と同じ状態（向き）で使用対象物に転写することができる。
【０１０２】
更に、キャリアフィルム付薄膜５は、薄膜２よりもキャリアフィルム４の幅が大きいので、薄膜２を運搬したり使用したりする際に、キャリアフィルム４における薄膜２よりも外側の部分を用いることで、薄膜２に触れずに作業等を行うことができ、薄膜２をより良好な状態で使用することができる。
【０１０３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【０１０４】
例えば、上記の実施形態では、支持部材１５として円筒状のものを示したが、これに限定するものではなく、例えば、図６に模式的に示すように、無端環のベルト状のものとしても良い。なお、同様の構成のものについては同じ符号を付し、説明は省略する。剥離装置１では、ベルト状の支持部材１５に、図示は省略するが、その周方向（回転方向）に対して直角方向へ貫通した貫通孔１５ａが複数形成されている。この剥離装置１では、支持部材１５におけるキャリアフィルム４が接する部位の裏面側（内周側）に、気圧供給機構１０が配置されており、当該部位において、支持部材１５の表面側へ負圧を作用させることができるようになっている。また、剥離ローラ５４は、支持部材１５（キャリアフィルム４）における気圧供給機構１０から負圧が作用させられる部位の下流端よりも上流側の位置から、ベースフィルム３をキャリアフィルム４から遠ざかる方向へ移動させることができる位置に配置されており、ベースフィルム３から薄膜２を良好に剥離させてキャリアフィルム４へ保持させることができる。従って、この剥離装置１においても、上記の実施形態と同様の作用効果を奏することができる。
【０１０５】
また、上記の実施形態では、支持部材１５として回転するものを示したが、これに限定するものではなく、支持部材１５を固定させて、支持部材１５の外周面上をキャリアフィルム４が摺動するようにしても良く、上記と同様の作用効果を奏することができる。なお、支持部材１５に対して、キャリアフィルム４を摺動させる場合は、支持部材１５の形状を、円筒状や無端環状に限定する必要は無く、円弧状、湾曲状、平板状、等の種々の形状としても良く、上記と同様の作用効果を奏することができる。
【０１０６】
更に、上記の実施形態では、キャリア回収機構３０において、支持ローラ３４と押圧ローラ３５とでキャリアフィルム付薄膜５を単に押圧するものを示したが、これに限定するものではなく、例えば、キャリアフィルム４に熱により接着する接着剤を含ませた場合、押圧に加えてキャリアフィルム付薄膜５へ、熱風を吹き付けたり輻射熱を作用させたりしても良く、接着剤で薄膜２をキャリアフィルム４に軽く接着させて薄膜２を使い易くできる。
【０１０７】
また、上記の実施形態では、ベース供給機構４０において、ガイド板４４上でベースフィルム３を単に摺動させるものを示したが、これに限定するものではなく、例えば、ガイド板４４から薄膜２が形成されたベースフィルム３に対して、熱や振動等を作用させても良く、ベースフィルム３から薄膜２を剥離させ易くすることができる。
【０１０８】
更に、上記の実施形態では、二層構造の薄膜２を示したが、これに限定するものではなく、単層構造、或いは、三層以上の多層構造としても良い。また、上記の実施形態では、薄膜２として銀を用いたものを示したが、これに限定するものではなく、その他の金属、炭素、無機化合物、たんぱく質、キトサン、フィブロイン、ポリ乳酸、その他合成樹脂を含む有機化合物、等を用いることができる。換言すると、この薄膜２の素材として、装飾等に用いることができる金属箔、食用に用いることができる可食フィルム、化粧に用いることができる化粧用フィルム、止血材や被覆材及び浸透膜等に用いることができる医療用フィルム（化学フィルム）、半導体や触媒等に用いることができる工業用フィルム、等としても良い。なお、薄膜２を、厚さが５０ｎｍ〜２００ｎｍの可食フィルム、化粧用フィルム、化学フィルム等としても良い。
【０１０９】
また、上記の実施形態では、ベースフィルム３として、ポリエチレンテレフタレートを用いたものを示したが、これに限定するものではなく、ベースフィルム３として、ポリプロピレン、ポリアミド、ポリカーボネート等の合成樹脂フィルム、等としても良い。
【０１１０】
また、上記の実施形態では、キャリアフィルム４として紙（和紙）を用いたものを示したが、これに限定するものではなく、不織布、織布、網、通気孔を穿設したポリエチレンテレフタレート、ポリプロピレン、ポリアミド、ポリカーボネート等の合成樹脂フィルム又は発泡樹脂フィルム、等としても良い。
【０１１１】
更に、薄膜２、ベースフィルム３、及びキャリアフィルム４は、その幅が６０ｍｍ〜２０００ｍｍとしても良く、それらの幅に合わせて剥離装置１の支持部材１５を、直径が１００ｍｍ〜５００ｍｍ、軸方向の長さが１００ｍｍ〜２０００ｍｍの範囲内で、適宜選択しても良い。
【符号の説明】
【０１１２】
１  薄膜の剥離装置
２  薄膜
３  ベースフィルム
４  キャリアフィルム
５  キャリアフィルム付薄膜
１０  気圧供給機構
１５  支持部材
１５ａ  貫通孔
２０  キャリア供給機構
３０  キャリア回収機構
４０  ベース供給機構
５０  ベース回収機構
６０  支持部材駆動機構
７０  装置本体
８０  ワーク検知機構
【先行技術文献】
【特許文献】
【０１１３】
【特許文献１】特開２０１１−３７１５１号公報
【図１】
0005960451.tif 000002
【図２】
0005960451.tif 000003
【図３】
0005960451.tif 000004
【図４】
0005960451.tif 000005
【図５】
0005960451.tif 000006
【図６】
0005960451.tif 000007